(57)【要約】【課題】電子機器における電池収納部の防水構造において、防水リングよりも外側の隙間に水が残っている状態で電池蓋や電池パックを外しても、水滴が電池収納凹部の底部までは流れ込みにくくする。また、電子機器の厚みを増加させることのない電池収納部の防水構造、及びそのための電池パックを提供する。【解決手段】電子機器に設けた電池収納凹部４の開口部を、電池蓋や電池パック５の外周面に設けた弾性リング５５で防水する構造の防水構造において、電池収納凹部４の内壁面に、全周にわたって段部４１を設ける。また、電池（５１）を上ケース５２及び下ケース５３で覆い一体化してなる電池パック５において、下ケース５３の外周側において、枠部材５４との間に、弾性リング５５を嵌着させるための溝を設ける。【選択図】図２
2007312255.tif 000002
【特許請求の範囲】
【請求項１】
電子機器に設けた電池収納凹部の開口部を、電池蓋や電池パックの外周面に設けた弾性リングで防水する構造において、
前記電池収納凹部の内壁面に、全周にわたって段部を設けたことを特徴とする電子機器における電池収納部の防水構造。
【請求項２】
前記段部の内端側に沿って突条を設けたことを特徴とする請求項１に記載の電子機器における電池収納部の防水構造。
【請求項３】
電池を少なくとも２つのケース部材で覆い一体化してなる電池パックにおいて、
前記ケース部材の外周側に、弾性リングを嵌着させるための溝を設けたことを特徴とする電池パック。
【発明の詳細な説明】
【技術分野】
【０００１】
本発明は、電子機器における電池収納部の防水構造と、その防水構造に用いられる電池パックに関する。
【背景技術】
【０００２】
電子機器における電池収納部の防水構造として、電池収納部の開口部を閉塞するための電池蓋の外周面にＯリングを設け、該Ｏリングを蓋の外周面と電池収納凹部の内壁面との間で圧縮する構造にしたものがある（特許文献１参照）。
また、上記のような電池蓋をねじ固定などの手段を用いて電池パックに取り付け、一体物として取り扱えるようにしたものもある（特許文献２参照）。
【特許文献１】特開２００４−５６１６４号公報
【特許文献２】特開２００５−１７３７８号公報
【発明の開示】
【発明が解決しようとする課題】
【０００３】
しかし、特許文献１及び２は、何れも、電池収納部の内壁が開口部から底面至るまでストレートになっている単純な凹部形状であるため、電子機器が水没した直後に電池蓋を外すと、（Ｏリングの外側で）本体ケースと蓋との隙間に残っていた水滴が電池収納凹部の内壁面を伝って底面に届く危険性が高い。
この場合、電池収納部の底面部などに露出している電源接続端子や回路基板に水滴が付き、不良の原因になる。
【０００４】
また、特許文献１は、電池と電池蓋が別体であるため、電池収納部に電池を収納する際に手間がかかる。また、Ｏリングが電池蓋の外周面に設けられているため、蓋の厚みが厚くなり、その結果、電子機器の厚みが厚くなるという不都合がある。
また、特許文献２は、電池パックと電池蓋とを一体物として取り扱えるという利点はあるが、電池パックと電池蓋とは元々別部品として構成されているものであり、また、Ｏリングが電池蓋の外周面に設けられているので、特許文献１の場合と同様に、電子機器の厚みが厚くなるという不都合がある。
【０００５】
本発明の課題は、電子機器における電池収納部の防水構造において、防水リングよりも外側の隙間に水が残っている状態で電池蓋や電池パックを外しても、水滴が電池収納凹部の底部までは流れ込みにくくすることである。
また、本発明の課題は、電子機器の厚みを増加させることのない電池収納部の防水構造、及びそのための電池パックを提供することである。
【課題を解決するための手段】
【０００６】
以上の課題を解決するため、請求項１に記載の発明は、電子機器に設けた電池収納凹部の開口部を、電池蓋や電池パックの外周面に設けた弾性リングで防水する構造において、前記電池収納凹部の内壁面に、全周にわたって段部を設けたことを特徴とする。
【０００７】
請求項２に記載の発明は、請求項１に記載の電子機器における電池収納部の防水構造であって、前記段部の内端側に沿って突条を設けたことを特徴とする。
【０００８】
請求項３に記載の発明は、電池を少なくとも２つのケース部材で覆い一体化してなる電池パックにおいて、前記ケース部材の外周側に、弾性リングを嵌着させるための溝を設けたことを特徴とする。
【発明の効果】
【０００９】
本発明によれば、防水リングよりも外側の隙間に水が残っている状態で電池蓋や電池パックを外しても、電池収納凹部の内壁面の全周にわたって設けた段部により水滴が底部までは流れ込みにくくなる。また、電池収納凹部の内壁面に段部を設けるので、電子機器の厚みを増加させることもない。
【発明を実施するための最良の形態】
【００１０】
以下、図を参照して本発明を実施するための最良の形態を詳細に説明する。
図１及び図２は本発明を適用した電子機器の一実施形態として携帯電話機を示したもので、第一の筐体１と第二の筐体２はヒンジ部３を介して互いに折り畳み自在に連結されている。
第一の筐体１には、電池収納凹部４が設けられ、この電池収納凹部４に電池パック５が収納される。
【００１１】
図３は電池パック５の分解状態を示し、図４は電池バック５の縦横方向の中央断面を示したもので、電池パック５は、図示のように、電池５１、上ケース（アウターケース）５２、下ケース（インナーケース）５３及び枠部材５４から構成されている。電池パック５には、その外周面に弾性リングである防水リング（Ｏリング）５５が設けられている。
すなわち、一面側に一対の電池端子５１ａと一端側に一対の充電端子５１ｂとを有する電池５１を、アウターケースとなる上ケース５２とインナーケースとなる下ケース５３で覆って、上ケース５２及び下ケース５３を合体している。
【００１２】
上ケース５２は、電池５１を一面側から覆って充電端子５１ｂを露出する一対の窓５２ｂと、第一の筐体１の電池収納凹部４の一辺に沿って備えられる一対のロック操作部材６に対応した一対の半円状切欠５２ｃと、その反対側に設けた一対の係合凸部５２ｄとを有している。なお、半円状切欠５２ｃには、回転操作されるロック操作部材６のロック爪６１が係合する溝５２ｅが形成されている。
下ケース５３は、電池５１を他面側から覆って電池端子５１ａを露出する一対の窓５３ａと、電池５１の充電端子５１ｂを背面側から押える突出部５３ｃと、後述するメモリカード１０用の抜け止め凸部５３ｄとを有している。この下ケース５３の周縁部が上ケース５２に超音波溶着されて、上ケース５２と下ケース５３とが合体している。
【００１３】
枠部材５４は、下ケース５３の外周面にＯリングによる防水リング５５を装着するための溝を形成するためのもので、下ケース５３の周縁部を上ケース５２に超音波溶着した後、下ケース５３の外周面に固着されている。これにより、下ケース５３の周縁部と枠部材５４との間に溝が形成され、その溝に防水リング５５を嵌着する。
【００１４】
図５は電池収納凹部４を有する第一の筐体１の縦横方向の中央断面を示したもので、第一の筐体１は、図示のように、上ケース１１、下ケース１２及び中ケース１３をビス止めにより合体して構成されている。
そして、中ケース１３に形成した電池収納凹部４が、下ケース１２に形成した開口１４から露出している。
【００１５】
電池収納凹部４には、その内壁面に全周にわたって段部４１が形成されており、底部に一対の電源コネクタ４２が設けられている。この電源コネクタ４２は、電池収納凹部４の底部に形成した窓４３から露出している。
なお、上ケース１１には操作キー部７が設けられており、そのキーラバー７１には一体の防水パッキン部７２が設けられている。この防水パッキン部７２は、上ケース１１と中ケース１３との嵌め合わせ部の防水を行う。また、上ケース１１及び下ケース１２の合わせ部一側面にはサイドキー８が組み付けられており、図６に拡大して示したように、そのキーラバー８１には一体の防水部８２が設けられている。この防水部８２は、中ケースの側壁に形成されたサイドキー８用の貫通孔部の防水を行う。
そして、電池収納凹部４の底部において、一対の電源コネクタ４２間の位置に設けた識別カードコネクタ４４にＵＩＭカードのような識別カード９が接続されて、反対側に設けたメモリカードコネクタ４５にメモリカード１０が接続されており、これらの間に識別カード９の抜け止めバネ４６が配置されている。なお、電池収納凹部４の底部において、識別カード９やメモリカード１０が位置し、また抜け止めバネ４６が配置されている領域は、一段低くなっている。
【００１６】
以上において、電池パック５は、第一の筐体１の電池収納凹部４に対し、その開口１４から一端側の一対の係合凸部５２ｄを差し込むとともに、他端側の一対の半円状切欠５２ｃをロック操作部材６に沿って重ねる。
そして、一対のロック操作部材６をそれぞれ回転操作して、各々のロック爪６１を半円状切欠５２ｃの溝５２ｅにそれぞれ係合させることで、電池パック５の装填保持がなされる。
【００１７】
以上のとおり、電池５１を上ケース５２及び下ケース５３で覆い一体化してなる電池パック５において、下ケース５３の外周面に取り付けた枠部材５４と下ケース５３の周縁部との間に形成した溝に防水リング５５を嵌着させたため、電池パック５として構造が簡単で、製造も容易である。
また、電池蓋と一体の電池パック５の外周面に防水リング５５を設けたため、電池パック５を装填する第一の筐体１の厚みを増加させることもない。
【００１８】
こうして、第一の筐体１に設けた電池収納凹部４の開口１４を電池パック５の外周面に設けた防水リング５５で防水する構造において、電池収納凹部４の内壁面に、全周にわたって段部４１を設けたため、例えば防水リング５５よりも外側の隙間に水が残っている状態で電池パック５を外しても、段部４１があることにより水滴が底部までは流れ込みにくくなる。
また、電池収納凹部４の内壁面の全周にわたって設けた段部４１のため、この点でも、電池パック５を装填する第一の筐体１の厚みを増加させることもない。
【００１９】
次に、図７は図６の変形例を示すもので、電池収納凹部４の段部４１において、図示のように、その内端側に沿って突条４７を全周に形成する。
そして、電池収納凹部４の底部にも突条４８を形成する。すなわち、この突条４８は、図１及び図２に示した電源コネクタ４２が露出する窓４３の周囲と抜け止めバネ４６が配置されている一段低くなっている領域に臨む淵部とに形成する。
【００２０】
以上のとおり、電池収納凹部４の段部４１の内端側に沿って突条４７を設けることで、例えば防水リング５５よりも外側の隙間に水が残っている状態で電池パック５を外しても、水が電池収納凹部４の段部４１において突条４７により留まり、電源コネクタ４２が窓４３ら露出するとともに、ＵＩＭカードコネクタ４４、メモリカードコネクタ４５及び識別カード９の抜け止めバネ４６が露出している底部には流れ込まない。
さらに、電池収納凹部４の底部にも突条４８を設けておくことで、万一、底部に水滴が入っても、突条４８により留まり、電源コネクタ４２が露出する窓４３やＵＩＭカードコネクタ４４やメモリカードコネクタ４５や識別カード９の抜け止めバネ４６には流れ込まない。
【００２１】
なお、以上の実施形態においては、携帯電話機としたが、本発明はこれに限定されるものではなく、ノート型ＰＣ、パームトップＰＣ、ＰＤＡ、その他の携帯用等の電子機器であっても良い。
また、実施形態において、電池パックの外周面に弾性リングを設けたが、電池と別体の電池蓋を用い、その電池蓋の外周面に弾性リングを設けても良い。
さらに、実施形態では、電池パックにおいて、電池を２つのケース部材で覆い一体化して、枠部材との間に溝を設けたが、３つあるいはそれ以上のケース部材で覆って一体化したり、ケース部材に溝を形成したりしても良い。
また、その他、具体的な細部構造等についても適宜に変更可能であることは勿論である。
【図面の簡単な説明】
【００２２】
【図１】本発明を適用した電子機器の一実施形態の構成を示すもので、携帯電話機の分解斜視図である。
【図２】図１において、電池パックを裏面側から見た分解斜視図である。
【図３】図１及び図２の電池パックの分解斜視図である。
【図４】図１及び図２の電池パックの断面図（ａ，ｂ）である。
【図５】図１及び図２の電池収納凹部を有する筐体の断面図（ａ，ｂ）である。
【図６】図５（ｂ）の要部拡大図である。
【図７】図６の変形例を示す要部拡大断面図である。
【符号の説明】
【００２３】
１  第一の筐体
１４  開口部
２  第二の筐体
３  ヒンジ部
４  電池収納凹部
４１  段部
４２  電源コネクタ
４４  識別カードコネクタ
４５  メモリカードコネクタ
４６  識別カード抜け止めバネ
４７・４８  突条
５  電池パック
５１  電池
５２・５３  ケース部材
５４  枠部材
５５  弾性リング
６  ロック操作部材
７  操作キー部
８  サイドキー
９  識別カード
１０  メモリカード
【図１】
2007312255.tif 000003
【図２】
2007312255.tif 000004
【図３】
2007312255.tif 000005
【図４】
2007312255.tif 000006
【図５】
2007312255.tif 000007
【図６】
2007312255.tif 000008
【図７】
2007312255.tif 000009